(57)【要約】【課題】落下試験しても熱交換器端部の変形による熱交換効率低下のない空気調和機の提供。【解決手段】室内機本体内にプレートフィン積層型の熱交換器４と送風ファンとを備え、前記熱交換器は熱交換器端部に熱交換器補強保持部材２４を設けて当該熱交換器補強保持部材２４を前記室内機本体の構成部品となる熱交取付枠１９に直接または間接的に固定した構成としてある。これにより、落下試験時に熱交換器端部に熱交換器端部自体の荷重が落下方向に加わっても熱交換器補強保持部材がこの荷重に抗して熱交換器端部を定位置に保持し、熱交換器端部が変形して熱交換効率が低下するのを防止することができる。よって、プレートフィン積層型熱交換器の高い熱交換効率を生かした高性能な空気調和機とすることができる。【選択図】図５
2020118368.tif 000002
【特許請求の範囲】
【請求項１】
室内機本体と、前記室内機本体内に設けた熱交換器及び送風ファンとを備え、前記熱交換器は複数の伝熱流路を有するプレートフィンを積層したプレートフィン積層体の両側面にエンドプレートを一体化して構成し、且つ、前記熱交換器端部に熱交換器補強保持部材を設けて当該熱交換器補強保持部材を前記室内機本体の本体構成部品に直接または間接的に固定した空気調和機。
【請求項２】
前記熱交換器補強保持部材の長手方向両端を前記エンドプレートに係合させるとともに、前記エンドプレートを室内機本体の本体構成部品に固定して前記熱交換器補強保持部材を間接的に前記室内機本体の前記本体構成部品に取り付け固定した請求項１に記載の空気調和機。
【請求項３】
前記熱交換器補強保持部材は断面略コ字状に形成して前記熱交換器端部の表面と裏面に重なる片を有する形状とした請求項１または２に記載の空気調和機。
【請求項４】
前記熱交換器補強保持部材は前記熱交換器端部から滴下する結露水を所定場所へと案内する水受け皿機能を持つ構成とした請求項３に記載の空気調和機。
【発明の詳細な説明】
【技術分野】
【０００１】
本発明はプレートフィン積層型熱交換器を用いた空気調和機に関する。
【背景技術】
【０００２】
一般に空気調和機は、圧縮機によって圧縮した冷媒を凝縮器や蒸発器等の熱交換器に循環させ第２流体と熱交換させて冷房もしくは暖房を行うが、前記熱交換器の熱交換効率によって空気調和機としての性能や省エネ性が大きく左右される。従って、熱交換器は高効率化が強く求められている。
【０００３】
このような中にあって、空気調和機の熱交換器は、一般的には、フィン群に伝熱管を貫通させて構成したフィンチューブ型熱交換器を用いており、伝熱管の細径化を図って熱交換効率の向上及び小型化が進められている。
【０００４】
しかしながら、上記伝熱管の細径化には限度があるため、熱交換効率の向上及び小型化は限界に近づきつつある。
【０００５】
一方、熱エネルギーを交換するために使用される熱交換器の中には、流路を有するプレートフィンを積層して構成したプレートフィン積層型熱交換器が知られている。
【０００６】
このプレートフィン積層型熱交換器は、プレートフィンに形成された流路を流れる冷媒と、積層されたプレートフィの間を流れる第２流体との間で熱交換を行うもので、冷媒圧力の低い車両用の空気調和機において使用されている（特許文献１参照）。
【０００７】
図１３、図１４は上記特許文献１記載のプレートフィン積層型熱交換器を示し、この熱交換器１００は、冷媒が流れる流路１０１（図１４参照）を有するプレートフィン１０２を積層したプレートフィン積層体１０３の両側部にエンドプレート１０４を積層配置し、前記流路１０１の左右両端部に流入側ヘッダ流路１０５及び流出側ヘッダ流路１０６を形成して構成してある。
【先行技術文献】
【特許文献】
【０００８】
【特許文献１】実用新案登録第３１９２７１９号公報
【発明の概要】
【発明が解決しようとする課題】
【０００９】
上記特許文献１記載のプレートフィン積層型熱交換器は、プレートフィン１０２に凹状溝をプレス成形して流路１０１を形成しているので、当該流路１０１の断面積をフィンチューブ型の伝熱管に比べさらに小さくでき、熱交換効率を高めることができる。
【００１０】
しかしながら、上記構成のプレートフィン積層型熱交換器は多数積層したプレートフィン１０２をロー付けのみで一体化して構成しているため、従来のフィンチューブ型熱交換器のように伝熱管で積層フィンを連結したもの、すなわち伝熱管が熱交換器の長尺寸法方向に貫通して当該伝熱管が強度メンバーとしても働くフィンチューブ型熱交換器に比べ剛性が弱い。
【００１１】
そのために、このプレートフィン積層型熱交換器を図１５に示すように冷媒量が多くて圧力が高くなる家庭用或いは業務用の空気調和機に搭載した場合、空気調和機に課せられている落下試験をすると、熱交換器端部に熱交端部自体の荷重が落下方向に加わり、この荷重に抗することができずに熱交換器端部が図１６の破線１１０で示すように変形する、という課題が生じることが判明した。
【００１２】
そして上記熱交換器端部の変形により当該部分の冷媒流路も変形して熱交換性能が低下したり、冷媒圧力に抗する耐圧性が低下したりして、熱交換効率の高いプレートフィン積層型熱交換器を用いていてもその性能を生かしきれず、空気調和機としての性能を大きく向上させることができなかった。
【００１３】
本発明はこのような点に鑑みてなしたもので、落下試験しても熱交換器端部の変形による熱交換効率や耐圧性の低下のない空気調和機を提供することを目的としたものである。
【課題を解決するための手段】
【００１４】
本発明は、上記目的を達成するため、プレートフィン積層型熱交換器の熱交換器端部に熱交換器補強保持部材を設けて当該熱交換器補強保持部材を空気調和機の本体構成部品に直接または間接的に固定した構成としてある。
【００１５】
これにより、落下試験時に熱交換器端部に熱交端部自体の荷重が落下方向に加わっても熱交換器補強保持部材がこの荷重を受け止めて熱交換器端部を定位置に保持し、熱交換器端部が変形するのを防止できる。よって、熱交換器端部の変形による熱交換効率の低下や耐圧性の低下を防止することができる。
【発明の効果】
【００１６】
本発明は、上記構成により、熱交換器端部の変形がなく、変形による効率低下や耐圧性低下のない高性能かつ信頼性の高い空気調和機とすることができる。
【図面の簡単な説明】
【００１７】
【図１】本発明の実施の形態１におけるプレートフィン積層型熱交換器を搭載した空気調和機の室内機を示す斜視図
【図２】同室内機の断面図
【図３】同室内機に搭載したプレートフィン積層型熱交換器の分解斜視図
【図４】同室内機の本体構成部品となる熱交取付枠に取り付けた状態のプレートフィン積層型熱交換器を示す斜視図
【図５】図４の矢印Ａ方向から見たプレートフィン積層型熱交換器の側面図
【図６】同プレートフィン積層型熱交換器と熱交取付枠の分解斜視図
【図７】同プレートフィン積層型熱交換器と熱交取付枠の分解側面図
【図８】同プレートフィン積層型熱交換器に熱交換器補強保持部材を取り付けた状態を示す斜視図
【図９】同熱交換器補強保持部材の斜視図
【図１０】同熱交換器補強保持部材の端部を示す拡大斜視図
【図１１】本発明の実施の形態２における空気調和機のプレートフィン積層型熱交換器と熱交取付枠の分解側面図
【図１２】本発明の実施の形態３における空気調和機のプレートフィン積層型熱交換器に取り付ける熱交換器補強保持部材の変形例を示す断面図
【図１３】従来のプレートフィン積層型熱交換器の断面図
【図１４】同プレートフィン積層型熱交換器におけるプレートフィンの平面図
【図１５】従来の空気調和機への熱交換器搭載例を示す断面図
【図１６】従来のプレートフィン積層型熱交換器を空気調和機に搭載した場合の課題を説明する説明図
【発明を実施するための形態】
【００１８】
第１の発明は、室内機本体と、前記室内機本体内に設けた熱交換器及び送風ファンとを備え、前記熱交換器は複数の伝熱流路を有するプレートフィンを積層したプレートフィン積層体の両側面にエンドプレートを一体化して構成し、且つ、前記熱交換器端部に熱交換器補強保持部材を設けて当該熱交換器補強保持部材を前記室内機本体の本体構成部品に直接または間接的に固定した構成としてある。
【００１９】
これにより、落下試験時に熱交換器端部に熱交換器端部自体の荷重が落下方向に加わっても熱交換器補強保持部材がこの荷重を受け止めて熱交換器端部を定位置に保持し、熱交換器端部が変形するのを防止できる。よって、熱交換器端部の変形による熱交換効率の低下や耐圧性の低下を防止することができ、プレートフィン積層型熱交換器の高い熱交換効率を生かした高性能かつ信頼性の高い空気調和機とすることができる。
【００２０】
第２の発明は、第１の発明において、前記熱交換器補強保持部材の長手方向両端をプレートフィン積層体両側のエンドプレートに係合させるとともに、前記エンドプレートを室内機本体の本体構成部品に固定して前記熱交換器補強保持部材を間接的に室内機本体の本体構成部品に取り付け固定した構成としてある。
【００２１】
これにより、落下試験時に熱交換器端部に加わる大きな荷重をエンドプレートで受け止めた後、室内機本体の本体構成部品で受け止めるような形となり、熱交換器端部の変形をより確実に防止して熱交換効率の低下や耐圧性の低下を効果的に抑制することができる。しかも熱交換器補強保持部材はエンドプレートに係合させているので、熱交換器単独でもその強度が向上し、熱交換器を搬送する時等の熱交換器端部の変形を防止でき、かつ、取り扱いも容易になり、熱交換器品質を安定させることができる。
【００２２】
第３の発明は、第１又は第２の発明において、前記熱交換器補強保持部材は断面略コ字状に形成して熱交換器端部の表面と裏面に重なる片を有する形状とした構成としてある。
【００２３】
これにより、熱交換器補強保持部材は断面略コ字状としたことによってその剛性が向上し、熱交換器端部の変形を効果的に防止できる。しかも熱交換器端部の表面と裏面に重なる片によって熱交換器端部の落下方向への変形はもちろん、落下方向とは反対方向への揺れ戻しによる変形をも防止できる。よって、熱交換器の重量がフィンチューブ型熱交換器に比べ重くなるプレートフィン積層型熱交換器であっても、その熱交換器端部の変形を確実に防止して熱交換効率や耐圧性が低下するのを確実に防止することができる。
【００２４】
第４の発明は、第３の発明において、前記熱交換器補強保持部材は熱交換器端部から滴下する結露水を所定場所へと案内する水受け皿機能を持つ構成としてある。
【００２５】
これにより、熱交換器端部の変形防止構成を利用して結露水処理を行うことができ、別途水受け皿を設ける必要がなくなって構成の簡素化を図ることができる。
【００２６】
以下、本発明の実施の形態について、添付の図面を参照しながら説明する。
【００２７】
なお、本開示の熱交換器は、以下の実施形態に記載したプレートフィン積層型熱交換器の構成に限定されるものではなく、以下の実施形態において説明する技術的思想と同等の熱交換器の構成を含むものである。
【００２８】
（実施の形態１）
本実施の形態１の空気調和機は、室内機と室外機が冷媒配管及び制御配線等により互いに接続された、所謂セパレート型の空気調和機である。室内機と室外機によりヒートポンプが構成されており、室外機には圧縮機が設けられている。実施の形態１の空気調和機における室内機は、室内の壁面に取り付ける壁掛け式室内機である。
【００２９】
図１は本発明の実施の形態１におけるプレートフィン積層型熱交換器を搭載した空気調和機の室内機を示す斜視図、図２は同室内機の断面図である。
【００３０】
本実施の形態において空気調和機の室内機１は、図１、図２に示すように、上面に開口部２ａを有する室内機本体２と、室内機本体２の前面を覆う前面パネル３とを備えている。
【００３１】
室内機本体２の内部には、図２に示すように、開口部２ａから取り入れた室内空気を熱交換する熱交換器４と、熱交換器４で熱交換された空気を室内に吹き出すための風力源である送風ファン５とが設けられている。送風ファン５は、室内機本体２の下方に設けられた吹出口６を通じて室内に空気を吹き出すように設けられている。また、室内機本体２の前記送風ファン５下流側から吹出口６に至る通風路７には、吹出口６を開閉するとともに空気の吹き出し方向を上下に変更する上下風向変更羽根８と、空気の吹き出し方向を左右に変更する左右風向変更羽根９とが設けられている。
【００３２】
また、前記室内機本体２の開口部２ａと熱交換器４との間には、開口部２ａから取り入れた室内空気に含まれる塵埃を除去するためのフィルタ１０が設けられている。なお、本実施の形態にかかる空気調和機は、フィルタ１０の網部分に付着した塵埃を自動的に清掃するフィルタ掃除ユニット１１を備えている。
【００３３】
次に上記熱交換器４について図３〜図１０を用いて説明する。
【００３４】
図３は室内機に搭載したプレートフィン積層型熱交換器の分解斜視図、図４は同室内機の本体構成部品となる熱交取付枠に取り付けた状態のプレートフィン積層型熱交換器を示す斜視図、図５は図４の矢印Ａ方向から見たプレートフィン積層型熱交換器の側面図、図６は同プレートフィン積層型熱交換器と熱交取付枠の分解斜視図、図７は同プレートフィン積層型熱交換器と熱交取付枠の分解側面図、図８は同プレートフィン積層型熱交換器に熱交換器補強保持部材を取り付けた状態を示す斜視図、図９は同熱交換器補強保持部材の斜視図、図１０は同熱交換器補強保持部材の端部を示す拡大斜視図である。
【００３５】
本実施の形態の熱交換器４は、図３に示すように、略弓型形状のプレートフィン１２を積層して構成したプレートフィン積層体１３の両側に平面視が略同一形状のエンドプレート１４、１４を積層しロー付けにより接合一体化して構成している。そして、略弓型長方形状の一端部側に、蒸発器として用いる場合には入口となり凝縮器として用いる場合は出口となるヘッダ流路管Ａ１５及びその逆となるヘッダ流路管Ｂ１６とを有している。
【００３６】
上記プレートフィン積層体１３の両側のエンドプレート１４、１４は、更にプレートフィン積層体１３を挟持する形でボルト・ナット若しくはカシメピン軸等の締結手段１７によりプレートフィン積層体１３に締結固定して、熱交換器４としての剛性をサポートしている。
【００３７】
また、プレートフィン積層体１３を構成するプレートフィン１２は、冷媒が流れる伝熱流路１８を有し、多数積層して各プレートフィン１２同士の間に空気が流れる積層間隔を形成している。そして、上記プレートフィン１２に設けた前記伝熱流路１８を流れる冷媒と各プレートフィン１２同士の間の積層間隙を流れる空気との間で熱交換する。
【００３８】
なお、本実施の形態では上記熱交換器４は、図４に示すように、複数、この例では二つのプレートフィン積層型の熱交換器部４−１、４−２の端部を突き合わせ、この各熱交換器部４−１、４−２を貫通する形で締結手段１７を通して連結一体化することにより構成してあり、室内機１の長手方向にマッチした長さの熱交換器４としてある。
【００３９】
上記のように構成したプレートフィン積層型の熱交換器４は、二つの熱交換器ブロック４ａ、４ｂをその上部で突き合わせて送風ファン５（図２参照）の背面側と前面側を覆うよう逆Ｖ字型状に配置し、室内機本体２の背面側を構成する本体構成部品としての熱交取付枠１９に固定して室内機本体２内に組み込んである。
【００４０】
すなわち、図５〜図７に示すように、熱交換器４は背面側の熱交換器ブロック４ｂの下端部を熱交取付枠１９の背面枠部１９ａに設けた段凹部１９ｂに嵌め込み、二つの熱交換器ブロック４ａ、４ａ同士間に固定した熱交支持プレート２０を図５に示すように前記熱交取付枠１９の背面枠部１９ａ内面に当接させ、その連結片２０ａを背面枠部１９ａ上端の補強溝部１９ｄにビス２１止め固定してある。
【００４１】
また、上記熱交換器４は、熱交換器ブロック４ａ、４ｂの長手方向一端部側（図４、図６の右側端部）のエンドプレート１４、１４同士の間に側板２２が嵌め込み固定してある。そして、この側板２２は図５に示すように孔２３と切り起こし片２２ａを有し、前記切り起こし片２２ａを前記熱交取付枠１９の段凹部１９ｂより前方に延設した熱交固定枠部１９ｅのボス部１９ｆに対向させて図５中左側から右側に向けてビス（図示せず）止めするとともに、前記孔２３にビス（図示せず）を介して熱交取付枠１９の平面部にビス止め固定してある。これにより、熱交換器４はその前面側の熱交換器ブロック４ａも側板２２を介して熱交取付枠１９に固定される形となる。
【００４２】
さらに、上記熱交換器４は、図５に示すように前面側の熱交換器ブロック４ａの下端部に熱交換器補強保持部材２４が嵌合させてある。そして、上記熱交換器補強保持部材２４は前記熱交取付枠１９に側板２２を介して固定したエンドプレート１４に係合させて当該エンドプレート１４を介し間接的に前記熱交取付枠１９に固定した形としてある。
【００４３】
詳述すると、上記熱交換器補強保持部材２４は、図９に示すように、断面コ字状に形成して相対向する片２４ａ，２４ｂを有する形状とし、その長手方向両端部に係合片部２４ｃを突出形成してある。そして、上記片２４ａ，２４ｂが図８に示すようにプレートフィン積層体１３の端部、つまり熱交換器端部の表面と裏面に重なるようにして熱交換器端部に嵌合させるとともに、その両端に設けた係合片部２４ｃを前記熱交換器ブロック４ａ両端部のエンドプレート１４，１４下部に設けた係合孔１４ａに嵌合させてエンドプレート１４，１４に取り付けてある。これにより、上記熱交換器補強保持部材２４はエンドプレート１４，１４、側板２２を介して熱交取付枠１９に間接的に固定される形となっている。
【００４４】
なお、上記熱交換器補強保持部材２４のコ字状底面には結露水排出用孔２５が複数設けてあり、その下方に設けてある水受け皿（図示せず）に熱交換器ブロック４ａからの結露水を流出させるようになっている。
【００４５】
次に上記のように構成した空気調和機について、その作用効果を説明する。
【００４６】
本実施の形態の空気調和機は、空調運転を開始すると、送風ファン５が駆動され、室内空気が開口部２ａを介して室内機の内部に取り入れられる。取り入れられた室内空気は、熱交換器４で熱交換され、送風ファン５を通過し、送風ファン５の送風方向の下流側に形成された通風路７を通過して、解放された吹出口６より吹き出される。
【００４７】
このように動作する空気調和機は出荷前に本体背面を下方にして落下試験が行われるが、上記空気調和機に搭載した熱交換器４の熱交換器ブロック４ａ、４ｂは、既述したようにプレートフィン１２を多数積層してロー付け等で接合一体化したものであるから剛性が弱く、前方側の熱交換器ブロック４ａの熱交換器端部が落下衝撃で変形しやすい。
【００４８】
しかしながら、本実施の形態の熱交換器４の前側の熱交換器ブロック４ａは、その熱交換器端部に熱交換器補強保持部材２４が設けてあり、この熱交換器補強保持部材２４がエンドプレート１４、側板２２を介して熱交取付枠１９に固定されているので、落下試験を行って熱交換器４の熱交換器端部に熱交換器自体の荷重が落下方向に加わっても、この荷重を熱交換器補強保持部材２４が受け止め、熱交換器端部が変形するのを防止する。よって、熱交換器端部変形による冷媒流路の変形や冷媒圧力に抗する耐圧性の低下を防止でき、耐圧性及び熱交換効率の高い高効率かつ信頼性の高い空気調和機とすることができる。
【００４９】
また、本実施の形態では、上記熱交換器補強保持部材２４は熱交換器ブロック４ａのエンドプレート１４，１４に係合させ、このエンドプレート１４，１４を熱交取付枠１９にビス止めすることにより熱交換器補強保持部材２４を熱交取付枠１９に固定する形としているので、落下試験時に熱交換器端部に加わる衝撃荷重をエンドプレート１４，１４と熱交取付枠１９とで二重に受け止めるような形となる。したがって、熱交換器端部の変形をより確実に防止して熱交換効率や耐圧性が低下するのを効果的に抑制することができる。
【００５０】
また、上記熱交換器補強保持部材２４を熱交換器４のエンドプレート１４，１４に係合させて熱交換器ブロック４ａに取り付けていることにより、熱交換器ブロック４ａ、すなわち熱交換器単独としてもその強度が向上することになる。したがって、熱交換器４を部品として搬送する時等の変形を防止できるとともに取り扱いも容易になり、品質を安定させることができる。よって、前記熱交換器補強保持部材２４は前側の熱交換器ブロック４ａだけでなく図１に示すように背面側の熱交換器ブロック４ｂの熱交換器端部にも設けておくのが好ましい。
【００５１】
また、上記熱交換器補強保持部材２４は断面コ字状にしているので、剛性が高く、熱交換器の重量がフィンチューブ型熱交換器に比べ重くなるプレートフィン積層型熱交換器であっても、その落下衝撃による熱交換器端部の変形を防止して熱交換効率や耐圧性が低下するのを確実に抑制することができる。
【００５２】
しかも、断面コ字状としたことによって熱交換器補強保持部材２４の相対向する片２４ａ，２４ｂが熱交換器端部の表面側と裏面側に重なる形となるので、落下試験時における落下方向への変形はもちろん、落下方向とは反対側への揺れ戻し変形も前記片２４ａ，２４ｂによって防止することができ、変形防止効果をより高いものとすることができる。
【００５３】
また、上記熱交換器補強保持部材２４はそのコ字状底面に結露水排出用孔２５を設けているので、結露水が溜まって障害が発生することもなく、結露水による障害を防止しつつ熱交換器端部の変形防止を行うことができる。
【００５４】
なお、上記熱交換器補強保持部材２４は熱交換器端部から下方に少し離して設けるとともに、結露水排出用孔２５をなくしてその下方に設ける水受け皿を兼ねさせる構成としてもよい。すなわち、熱交換器端部から滴下する結露水を所定場所へと案内する水受け皿としてもよく、これにより、熱交換器端部の変形防止構成を利用して結露水処理も行え、別途水受け皿を設ける必要がなくなって構成の簡素化を図ることができる。
【００５５】
（実施の形態２）
図１１は実施の形態２における熱交換器と熱交取付枠を示す分解斜視図である。
【００５６】
本実施の形態は、熱交換器補強保持部材２４を熱交取付枠１９に直接固定する構成としたもので、熱交取付枠１９はその熱交固定枠部１９ｅの前端部に前方に延びる熱交換器端部固定片１９ｇを有し、この熱交換器端部固定片１９ｇに熱交換器補強保持部材２４の係合片部２４ｃを係合させる係合孔１４ａが設けてある。そして、上記熱交換器補強保持部材２４の係合片部２４ｃを熱交換器端部固定片１９ｇの係合孔１４ａに係合させて熱交換器補強保持部材２４を直接熱交取付枠１９に固定する構成としてある。
【００５７】
本実施の形態においても前記実施の形態１と同様、熱交換器端部の変形による冷媒流路の変形や冷媒圧力に抗する耐圧性の低下を防止し、高効率かつ信頼性の高い空気調和機とすることができる。
【００５８】
（実施の形態３）
図１２（ａ）（ｂ）（ｃ）は実施の形態３における熱交換器補強保持部材２４を示す断面図である。
【００５９】
本実施の形態の熱交換器補強保持部材２４は平板状としてあり、その平板面２４１に補強凸部２４２を設けた構成としてある。図１２中（ａ）は平板面２４１の下端に補強凸部となる折曲片２４２ａを設けたもの、（ｂ）は平板面２４１の略中央部分に補強凸部となる直交片２４２ｂを設けたもの、（ｃ）は平板面２４１に補強凸部となる凸状２４２ｃを設けたもの、で、いずれのものも落下方向に対する強度を確保して、熱交換器端部の変形を防止することができる。
【００６０】
なお、このような平板状の熱交換器補強保持部材２４は、揺れ戻し変形が大きくてこれを確実に防止する必要がある場合等には実施の形態１で説明したように揺れ戻し変形を防止すべく熱交換器端部の表面側と裏面側の両面に設けるようにしておくのが好ましい。
【００６１】
以上、本発明に係る空気調和機について、上記実施の形態を用いて説明したが、本発明はこれに限定されるものではない。
【００６２】
例えば、上記実施の形態では、室内機と室外機が冷媒配管及び制御配線等により互いに接続されたセパレート型の空気調和機で説明したが、これは室内機と室外機が一体になった室内設置型の空気調和機であってもよく、この場合、室内機と室外機が一体になったものが請求項の室内機に該当するものである。
【００６３】
また、熱交換器４は二つの熱交換器ブロック４ａ、４ｂをその上部で突き合わせて逆Ｖ字型状にしたものを例示したが、一つの熱交換器ブロックだけで構成されるものであってもよいものである。
【００６４】
更に、前記熱交換器４を構成する熱交換器ブロック４ａ、４ｂは複数の熱交換器部４−１、４−２を連結して長尺の熱交換器としたもので説明したが、これはプレートフィン１２を積層しただけで構成した長尺寸法の単一熱交換器としたものにも適用することができる。
【００６５】
更に、熱交換器補強保持部材２４は断面略コ字状、平板状のものを例示したが、これに限られるものではなく、落下方向に強度を持つ形状であればどのような構成のものであってもよいものである。
【００６６】
以上のように、今回開示した実施の形態はすべての点で例示であって制限的なものではないと考えられるべきであり、本発明の範囲は特許請求の範囲によって示され、特許請求の範囲と均等の意味及び範囲内でのすべての変更が含まれるものである。
【産業上の利用可能性】
【００６７】
本発明は、プレートフィン積層型の熱交換器を搭載していても熱交換器端部の変形がなく、熱交換器端部の変形による効率低下や耐圧性低下のない高性能かつ信頼性の高い空気調和機とすることができる。よって、家庭用及び業務用エアコン等に幅広く利用できる。
【符号の説明】
【００６８】
１  室内機
２  室内機本体
２ａ  開口部
３  前面パネル
４  熱交換器
４ａ、４ｂ  熱交換器ブロック
５  送風ファン
６  吹出口
７  通風路
８  上下風向変更羽根
９  左右風向変更羽根
１０  フィルタ
１１  フィルタ掃除ユニット
１２  プレートフィン
１３  プレートフィン積層体
１４  エンドプレート
１４ａ  係合孔
１５  ヘッダ流路管Ａ
１６  ヘッダ流路管Ｂ
１７  締結手段
１８  伝熱流路
１９  熱交取付枠（本体構成部品）
２０  熱交支持プレート
２０ａ  連結片
２１  ビス
１９ａ  背面枠部
１９ｂ  段凹部
１９ｄ  補強溝部
１９ｅ  熱交固定枠部
１９ｆ  ボス部
１９ｇ  熱交換器端部固定片
２２  側板
２２ａ  切り起こし片
２３  孔
２４  熱交換器補強保持部材
２４ａ，２４ｂ  片
２４ｃ  係合片部
２５  結露水排出用孔
【図１】
2020118368.tif 000003
【図２】
2020118368.tif 000004
【図３】
2020118368.tif 000005
【図４】
2020118368.tif 000006
【図５】
2020118368.tif 000007
【図６】
2020118368.tif 000008
【図７】
2020118368.tif 000009
【図８】
2020118368.tif 000010
【図９】
2020118368.tif 000011
【図１０】
2020118368.tif 000012
【図１１】
2020118368.tif 000013
【図１２】
2020118368.tif 000014
【図１３】
2020118368.tif 000015
【図１４】
2020118368.tif 000016
【図１５】
2020118368.tif 000017
【図１６】
2020118368.tif 000018